(57)【要約】【課題】本発明は、反射防止機能のある凹凸状の格子を下部電極板を成形加工するときに同時に一体形成することにより、安価で光透過率を向上させることができるタブレット及びこの製造方法をを提供すること。【解決手段】本発明のタブレットは、所定のギャップを有して互いに対向配置した透明な下部電極板１と上部電極板６と、このそれぞれの電極板１、６の互いに対向する面に設けた下部透明導電膜３と上部透明導電膜７とを備え、下部電極板１は、下部透明導電膜３を形成した一方の面及び／または反対側の他方の面に反射防止機能を有する複数の微細な凹凸状の反射防止面２を形成したので、低コストとすることができる。【選択図】　　　　図１
2004021788.tif 000002
【特許請求の範囲】
【請求項１】
所定のギャップを有して互いに対向配置した透明な下部電極板と上部電極板と、このそれぞれの電極板の互いに対向する面に設けた下部透明導電膜と上部透明導電膜とを備え、
前記下部電極板は、前記下部透明導電膜を形成した一方の面及び／または反対側の他方の面に反射防止機能を有する複数の微細な凹凸からなる反射防止面を形成したことを特徴とするタブレット。
【請求項２】
前記反射防止面は、前記凹凸の高さ寸法が０．２〜０．５μｍ、ピッチ寸法が０．２〜０．５μｍに形成されていることを特徴とする請求項１記載のタブレット。
【請求項３】
透明な下部電極板と上部電極板を所定のギャップを有して互いに対向配置し、前記それぞれの電極板の互いに対向する面に下部透明導電膜と上部透明導電膜とを形成し、
前記下部電極板は、透明樹脂材料を成形加工する時に、同時に前記下部透明導電膜を形成した一方の面及び／または反対側の他方の面に反射防止機能を有する微細な凹凸からなる反射防止面を形成するようにしたことを特徴とするタブレットの製造方法。
【発明の詳細な説明】
【０００１】
【発明の属する技術分野】
本発明はタブレットに係わり、液晶表示装置等の表示面側に装着され、表示内容に対応してペンあるいは指等で座標入力可能なタブレット及びこの製造方法に関する。
【０００２】
【従来の技術】
近年、座標入力装置としてのタブレットにおいては、例えば電子手帳、携帯情報端末をはじめとするモバイル機器への応用がめざましいものがある。
これらモバイル機器等に用いられるタブレットは、例えば液晶表示装置の表示面側に装着し、タブレットを透して見える表示面に表示したカレンダー、スケジュール、住所録管理等各種の機能を切り換えることができる。
あるいは、フィルム状の透明電極板からなるタブレットの操作面上を、ペン、あるいは指等で押圧した状態で文字等を描くことにより、所望の文字等の入力が可能となっている。
あるいは、ペン等で、コンピュータディスプレイ上のカーソルを表示、又は移動させて軌跡を描けるものもある。
【０００３】
このような従来のタブレットは、図３に示すように、最下部には透明ガラス等からなる平板状の下部電極板５１が配設され、この下部電極板５１の上面には、スパッタ、あるいは蒸着等によりＳｉＯ２膜とＴｉＯ２膜２ｂとからなる層を複数層積層形成した反射防止膜５２が設けられている。
また、反射防止膜５２上には、透明ＩＴＯ膜からなる下部導電膜５３が、所定の抵抗値に対応した膜に成膜されている。また、下部導電膜５２上には、絶縁性の材料からなり、所定の高さで突出形成した複数のドットスペーサ５４が、Ｘ方向およびＹ方向に所定の間隔で整列されて形成されている。
また、下部電極板５１の外周端部の下部導電膜５３上には、厚さがドットスペーサ５４の高さより厚い絶縁パターン５５が所定幅に形成されている。
【０００４】
また、外周部の絶縁パターン５５を挟んで下部電極板５１と対向する上方には、フィルム等の可撓性のある透明な上部電極板５６が配設されている。
この上部電極板５６は、下部導電膜５３と対向する全面に、下部導電膜５３と同材質のＩＴＯ膜からなる上部導電膜５７が、所定の抵抗値に対応した膜厚で形成されている。
【０００５】
このような従来のタブレットは、上部電極板５６および上部導電膜５７から入射して下部導電膜５３を透過する光は、下部電極板５１と下部導電膜５３との間の反射防止膜５２で反射が抑えられて、下部電極板５１に入射するようになっているので、光透過率を向上することができる。
また、光の透過率を向上させる別な方法として、従来のタブレットは、図４に示すように、下部電極板５１の下面に反射防止膜５２と同様な反射防止機能がある、ＡＲ（Ａｎｔｉ　Ｒｅｆｌｅｃｔｉｏｎ）フィルム、またはＬＲ（Ｌｏｗ　Ｒｅｆｌｅｃｔｉｏｎ）フィルム等からなる反射防止フィルム６０を接着剤等で貼り付けたものがある。
このような従来のタブレットは、反射防止膜５２、あるいは反射防止フィルム６０で上方から入射した光の反射を抑えることができ、従来のタブレットの光透過率を向上していた。
【０００６】
【発明が解決しようとする課題】
しかし、前述したような従来のタブレットは、反射防止膜５２をスパッタ、あるいは蒸着等により形成したので下部電極板５１の製造に時間が掛かり、下部電極板５１が高価になっていいた。
また、下部電極板５１に反射防止フィルム６０を貼り付けたものも、接着剤で接着するのに時間が掛かると共に、反射防止フィルム６０が高価であった。
即ち、従来の反射防止対策を行ったタブレットはコストアップになる問題があった。
本発明は前述したような問題点に鑑みてなされたもので、反射防止機能のある凹凸状の格子を下部電極板を成形加工するときに同時に一体形成することにより、安価で光透過率を向上させることができるタブレット及びこの製造方法をを提供することを目的とするものである。
【０００７】
【課題を解決するための手段】
前記課題を解決するための第１の解決手段として本発明のタブレットは、所定のギャップを有して互いに対向配置した透明な下部電極板と上部電極板と、このそれぞれの電極板の互いに対向する面に設けた下部透明導電膜と上部透明導電膜とを備え、
前記下部電極板は、前記下部透明導電膜を形成した一方の面及び／または反対側の他方の面に反射防止機能を有する複数の微細な凹凸からなる反射防止面を形成したことを特徴とする。
【０００８】
また、前記課題を解決するための第２の解決手段として、前記反射防止面は、前記凹凸の高さ寸法が０．２〜０．５μｍ、ピッチ寸法が０．２〜０．５μｍに形成されていることを特徴とする。
【０００９】
また、前記課題を解決するための第３の解決手段として本発明のタブレットの製造方法は、透明な下部電極板と上部電極板を所定のギャップを有して互いに対向配置し、前記それぞれの電極板の互いに対向する面に下部透明導電膜と上部透明導電膜とを形成し、
前記下部電極板は、透明樹脂材料を成形加工する時に、同時に前記下部透明導電膜を形成した一方の面及び／または反対側の他方の面に反射防止機能を有する微細な凹凸からなる反射防止面を形成するようにしたことを特徴とする。
【００１０】
【発明の実施の形態】
本発明の実施の形態のタブレットを図面に基づいて説明する。図１は本発明に関するタブレットの要部断面図であり、図２は図１の要部拡大図である。
まず、本発明のタブレットの１実施の形態は、図１に示すように、最下部に材質がアクリル、あるいはポリカボネート等の透明樹脂材料からなる下部電極板１が配設されている。この下部電極板１は、所定厚さで外形が略矩形状に形成されている。
【００１１】
また、下部電極板１の後述する下部透明導電膜３を形成した一方の面と反対側の他方の面である下面には、反射防止機能を有する複数の微細な凹凸からなる反射防止面２が形成されている。
この反射防止面２は、図２に示すように、凹凸の高さ寸法Ｈが０．２〜０．５μｍ、ピッチ寸法Ｐが０．２〜０．５μｍに形成されている。そのために、下部電極板１の上方から入射した光は、反射防止面２で上方側への反射が抑えられて、効率よく下部電極板１から下方外部に出射することができるようになっている。
また、下部電極板１の下面から入射した光は、反射防止面２で下方側への反射が抑えられて、効率よく下部電極板１に入射させることができるようになっている。
【００１２】
前述したような反射防止面２の製造方法は、下部電極板１を成形加工するための成形金型（図示せず）側に、微細な凹凸からなる反射防止面２と同形状の複数の凹凸をフォトリソ技術等で形成し、この金型を用いて下部電極板１を成形加工する時に同時に、他方の面に複数の微細な凹凸からなる反射防止面２を形成することができる。
このような、下部電極板１は、成形加工と同時に反射防止面２を形成することができ、コストダウンが可能になる。
また、成形加工で形成する下部電極１は、微細な凹凸からなる反射防止面２を寸法バラツキのない高精度に製造することができる。
【００１３】
また、下部電極板１の一方の面である図示上面には、透明ＩＴＯ（Ｉｎｄｉｕｍ　Ｔｉｎ　Ｏｘｉｄｅ）抵抗体膜からなる下部透明導電膜３が蒸着等に形成されている。この下部透明導電膜３の膜厚は、下部透明導電膜３の抵抗値に対応して決めている。
また、下部透明導電膜３上の外周部には、所定厚さのレジスト膜等で覆われた絶縁パターン４が、所定の幅寸法で形成されている。
また、絶縁パターン４に囲まれた部分の下部透明導電膜３上には、複数のドットスペーサ５が、Ｘ方向およびＹ方向に所定の間隔で整列して突出形成されている。前記ドットスペーサ５は、高さが絶縁パターン４の厚さより低く形成されており、ドットスペーサ５の頂部と後述する上部透明導電膜６との間には所定寸法の隙間が形成されている。
【００１４】
また、下部電極板１に形成した下部透明導電膜３と所定寸法のギャップを有して対向する上方には、フィルム状の上部電極板６が配設されている。
この上部電極板６は、基材が透明なＰＥＴフィルム等の可撓性のある材料からなり、下部透明導電膜３と対向する下面側には、下部透明導電膜３と同材質のＩＴＯ膜からなる上部透明導電膜７が形成されている。
この上部透明導電膜７の膜厚は、上部透明導電膜７の抵抗値に対応して決めている。
【００１５】
本発明のタブレットの操作は、上部電極板６の表面を操作者の指、あるいはペン等で、所定以上の圧力で押圧することにより、押圧された部分の上部電極板６が撓み、上部透明導電膜７が複数のドットスペーサ５間の下部導電膜３に部分的に導通する。
この下部と上部の透明導電膜３、７が部分的に導通することにより、所望の座標入力ができるようになっている。
また、上部電極板６の押圧力が所定以下の場合は、上部透明導電膜７がドットスペーサ５の頂部に当接するだけで、上部透明導電膜７と下部透明導電膜３が導通しないようになっている。
【００１６】
このような本発明のタブレットは、例えば液晶表示装置（図示せず）の表示面側に装着して、タブレットを透して見える表示面に表示されたメニュウ等をペン、または指等で操作して入力可能になっている。
このような液晶表示装置に装着した本発明のタブレットは、上部電極板６から入射して、上部と下部の透明導電膜３、７を透過し、下部電極板１に入射した光が、微細な凹凸からなる反射防止面２があるので、上方側への反射が抑えられる。
そのために、本発明のタブレットは、内部に入射した光を、反射防止面２を介して効率よく下部電極板１から下方の液晶表示装置側に出射することができるので、光の透過率を向上させることができる。
【００１７】
また、下方側の液晶表示装置の表示面から上方に出射されて、反射防止面２を介して下部電極板１に入射する光は、反射防止面２で下方側への反射が抑えられて、効率よく下部電極板１に入射させることができるので、明るい光を上部電極板６から上方に出射することができる。
ちなみに、本発明の第１の実施の形態のタブレットは、光透過率を略８５％とすることができ、従来の技術で説明した反射防止膜５２、あるいは反射防止フィルム６０を使ったときと、ほぼ同じ光透過率とすることができる。
【００１８】
本発明の実施の形態の説明では、複数の微品な凹凸からなる反射防止面２を、下部透明導電膜３を形成した下部電極板１の一方の面と反対側の他方の面に形成したもので説明したが、下部透明導電膜３を形成した一方の面側に形成したものでも良い。あるいは、反射防止面２を下部電極板１の一方と他方の両面に形成したものでも良い。
即ち、本発明のタブレットの下部電極板１は、下部透明導電膜７を形成した一方の面及び／または反対側の他方の面に反射防止機能を有する微細な凹凸からなる反射防止面２を形成したものであれば良い。
前記下部電極板１の両面に反射防止面２を形成したタブレットは、光透過率を略９０％に向上させることができる。
【００１９】
【発明の効果】
本発明のタブレットの下部電極板は、下部透明導電膜を形成した一方の面及び／または反対側の他方の面に反射防止機能を有する複数の微細な凹凸からなる反射防止面を形成したので、下部電極板を成形加工するときに同時に複数の凹凸からなる反射防止面を形成することができ、製造が容易で低コストのタブレットを提供できる。
【００２０】
また、本発明の反射防止面は、凹凸の高さ寸法が０．２〜０．５μｍ、ピッチ寸法が０．２〜０．５μｍに形成したので、光の反射を効率よく抑えて、下部電極板の光透過率を向上させることができる。
【００２１】
また、前記下部電極板は、透明樹脂材料を成形加工する時に、同時に前記下部透明導電膜を形成した一方の面及び／または反対側の他方の面に反射防止機能を有する微細な凹凸からなる反射防止面を形成するようにした、製造が容易で低コストのタブレットを作ることが可能な製造方法を提供できる。
【図面の簡単な説明】
【図１】本発明のタブレットに関する要部断面図である。
【図２】図１の要部拡大図である。
【図３】従来のタブレットの要部断面図である。
【図４】従来のその他のタブレットの要部断面図である。
【符号の説明】
１　下部電極板
２　格子
３　下部と梅鳴動電膜
４　絶縁パターン
５　ドットスペーサ
６　上部電極板
７　上部透明導電膜
【図１】
2004021788.tif 000003
【図２】
2004021788.tif 000004
【図３】
2004021788.tif 000005
【図４】
2004021788.tif 000006